(57)【要約】【課題】液晶シャッタの製造コストを低く抑える。【解決手段】液晶シャッタ６２の第１透明基板７８上に複数の第１遮光マスク８５を形成する。各第１遮光マスク８５を、副走査方向に長く形成し、主走査方向に配列させる。第２透明基板上に２個の第２遮光マスク８６を形成する。各第２遮光マスク８６を、主走査方向に長く形成し、副走査方向に配列させる。両遮光マスク７８，７９が立体交差して複数の画素７５が形成される。第１遮光マスク８５上に絶縁膜を形成し、この絶縁膜上の画素７５と対向する位置に複数の個別電極９５を形成する。第２遮光マスク８６上に共通電極１００を形成する。第１及び第２透明基板の貼り合せ時に多少位置ずれしても、個別電極９５と画素７５との位置ずれの発生が防止される。位置ずれを発見するための全数検査が不要になるので、液晶シャッタ６２の製造コストを低く抑えられる。【選択図】図４
2007328285.tif 000002
【特許請求の範囲】
【請求項１】
主走査方向に並べられた画素毎に個別電極を有する第１透明基板と、前記各個別電極に対応するように前記主走査方向に長く形成される共通電極を有する第２透明基板と、前記第１透明基板及び前記第２透明基板の隙間に封入される液晶とを有する液晶パネルにおいて、
前記第１透明基板または前記第２透明基板のいずれか一方に主走査方向に離間して副走査方向に長く形成され、前記画素の主走査方向端縁を規定する複数の第１遮光マスクと、
前記第１透明基板または前記第２透明基板のいずれか他方に副走査方向に離間して主走査方向に長く形成され、前記画素の副走査方向端縁を規定する複数の第２遮光マスクとを備えることを特徴とする液晶パネル。
【請求項２】
前記第１透明基板は、ガラス基板と、このガラス基板の上に形成される前記第１遮光マスクまたは前記第２遮光マスクのいずれか一方と、この一方の遮光マスクを覆うように形成される絶縁膜と、この絶縁膜の上に形成される透明電極膜からなる前記個別電極と、この個別電極の上に形成される配向膜とを備え、
前記第２透明基板は、ガラス基板と、このガラス基板の上に形成される前記第１遮光マスクまたは前記第２遮光マスクのいずれか他方と、この他方の遮光マスクの前記第１透明基板に対向する側または前記第２透明基板に対向する側に形成される透明電極膜からなる前記共通電極と、これら他方の遮光マスク及び共通電極の上に形成される配向膜とを備えることを特徴とする請求項１記載の液晶パネル。
【請求項３】
前記第１透明基板の前記ガラス基板の上には、前記第１遮光マスクが形成されているとともに、
前記個別電極は、副走査方向に長く形成された略長方形状を有しており、複数の前記第１遮光マスクの間に対向する位置に形成されていることを特徴とする請求項２記載の液晶パネル。
【請求項４】
前記第１透明基板は、ガラス基板と、このガラス基板の上に形成される透明電極膜からなる前記個別電極と、この個別電極を覆うように形成される絶縁膜と、この絶縁膜の上に形成される前記第１遮光マスクまたは前記第２遮光マスクのいずれか一方と、この一方の遮光マスク上に形成される配向膜とを備え、
前記第２透明基板は、ガラス基板と、このガラス基板の上に形成される前記第１遮光マスクまたは前記第２遮光マスクのいずれか他方と、この他方の遮光マスクの前記第１透明基板に対向する側または前記第２透明基板に対向する側に形成される透明電極膜からなる前記共通電極と、これら他方の遮光マスク及び共通電極の上に形成される配向膜とを備えることを特徴とする請求項１記載の液晶パネル。
【発明の詳細な説明】
【技術分野】
【０００１】
本発明は、互いに対向する透明基板の隙間に液晶が封入された液晶パネルに関するものである。
【背景技術】
【０００２】
露光ヘッドを用いて感光材料上に画像を露光するプリンタが知られている。この露光ヘッドは、Ｒ（赤）、Ｇ（緑）、Ｂ（青）の３色の記録光（照明光）を照射する光源と、液晶シャッタと、セルフォックレンズ（登録商標）［以下、単にレンズという］とから構成される。液晶シャッタは、画素が感光材料の搬送方向（副走査方向）に直交する主走査方向に１列に配列された画素列を有している。
【０００３】
液晶シャッタは、互いに対向する第１及び第２透明基板間に各種の液晶を封入した液晶パネルである。この液晶シャッタを製造する際には、第１透明基板の第２透明基板に対向する側に、複数個の個別電極を主走査方向に１列に形成した後、各個別電極上に第１配向膜を形成する。また、第２透明基板の第１透明基板に対向する側に、各個別電極に対応するように主走査方向に長く形成された共通電極と、遮光マスクと、第２配向膜とを順に形成する。遮光マスクは、各個別電極に対応する開口窓を有しており、これら開口窓以外の領域からの光漏れを防止する。つまり、遮光マスクの開口窓が設けられている位置が上述の画素となる。各画素の大きさは、開口窓に大きさによって決定される（特許文献１参照）。
【０００４】
次いで、両透明基板を、各個別電極の位置と各開口窓の位置とが一致するように貼り合わせる。そして、これら両透明基板間に各種の液晶、例えばネマティック液晶を封入する。封入された液晶には、各個別電極と共通電極との間でのみ電圧を印加することができる。
【０００５】
各画素は、両電極間に印加される電圧のオン・オフで遮光状態及び光透過状態に個々に切り替えられる。このため、光源からＲ光、Ｇ光、Ｂ光が順次照射される度に、１ライン分の画像データに基づいて各画素の開口時間を個々に調整することで、ライン画像が感光材料に露光される。そして、感光材料を副走査方向に１ラインずつ移動させつつ、露光ヘッドによりライン画像を感光材料に順次露光させることで、感光材料に１画面分の画像（潜像）が露光される。
【特許文献１】特開２００３−２２８０５４号公報（第５頁、第２図参照）
【発明の開示】
【発明が解決しようとする課題】
【０００６】
ところで、液晶シャッタ製造時には、第１透明基板と第２透明基板との位置ずれ量が許容範囲を越えてしまうことがある。液晶シャッタがノーマリホワイトモードの場合には、開口窓が個別電極と対向する位置からずれると、開口窓の個別電極と対向していない部分は、常時光を透過してしまう。このように常時光が透過する光漏れが発生すると、コントラストが足りなくなるとともに、プリント画像に黒すじが発生してしまう。また、液晶シャッタがノーマリブラックモードの場合には、光量不足が生じるとともに、プリント画像に白すじが発生してしまう。
【０００７】
個別電極と開口窓との位置ずれが生じないように第１透明基板と第２透明基板とを貼り合わせる場合には、両透明基板の貼り合せ精度を±数μｍ以内に抑える必要がある。例えば、液晶シャッタの個別電極の幅が約９０μｍであり、遮光マスクの開口窓の幅が約８０μｍである場合には、両透明基板の位置ずれの許容範囲は±５μｍである。この際に、一般的な貼り合わせ設備を用いて両透明基板を貼り合わせた時の位置ずれ量は、０〜２００μｍである。このため、液晶シャッタ製造工程では、貼り合せ後のパネルを全数検査する全数検査工程が不可欠である。その結果、液晶シャッタの製造コストが高くなってしまう。
【０００８】
本発明は上記問題を解決するためのものであり、高精度な貼り合せ精度を必要としない液晶パネルを提供することを目的とする。
【課題を解決するための手段】
【０００９】
本発明にかかる液晶パネルは、主走査方向に並べられた画素毎に個別電極を有する第１透明基板と、前記各個別電極に対応するように前記主走査方向に長く形成される共通電極を有する第２透明基板と、前記第１透明基板及び前記第２透明基板の隙間に封入される液晶とを有する液晶パネルにおいて、前記第１透明基板または前記第２透明基板のいずれか一方に主走査方向に離間して副走査方向に長く形成され、前記画素の主走査方向端縁を規定する複数の第１遮光マスクと、前記第１透明基板または前記第２透明基板のいずれか他方に副走査方向に離間して主走査方向に長く形成され、前記画素の副走査方向端縁を規定する複数の第２遮光マスクとを備えることを特徴とする。
【００１０】
前記第１透明基板は、ガラス基板と、このガラス基板の上に形成される前記第１遮光マスクまたは前記第２遮光マスクのいずれか一方と、この一方の遮光マスクを覆うように形成される絶縁膜と、この絶縁膜の上に形成される透明電極膜からなる前記個別電極と、この個別電極の上に形成される配向膜とを備え、前記第２透明基板は、ガラス基板と、このガラス基板の上に形成される前記第１遮光マスクまたは前記第２遮光マスクのいずれか他方と、この他方の遮光マスクの前記第１透明基板に対向する側または前記第２透明基板に対向する側に形成される透明電極膜からなる前記共通電極と、これら他方の遮光マスク及び共通電極の上に形成される配向膜とを備えることが好ましい。
【００１１】
前記第１透明基板の前記ガラス基板の上には、前記第１遮光マスクが形成されているとともに、前記個別電極は、副走査方向に長く形成された略長方形状を有しており、複数の前記第１遮光マスクの間に対向する位置に形成されていることが好ましい。
【００１２】
前記第１透明基板は、ガラス基板と、このガラス基板の上に形成される透明電極膜からなる前記個別電極と、この個別電極を覆うように形成される絶縁膜と、この絶縁膜の上に形成される前記第１遮光マスクまたは前記第２遮光マスクのいずれか一方と、この一方の遮光マスク上に形成される配向膜とを備え、前記第２透明基板は、ガラス基板と、このガラス基板の上に形成される前記第１遮光マスクまたは前記第２遮光マスクのいずれか他方と、この他方の遮光マスクの前記第１透明基板に対向する側または前記第２透明基板に対向する側に形成される透明電極膜からなる前記共通電極と、これら他方の遮光マスク及び共通電極の上に形成される配向膜とを備えることが好ましい。
【発明の効果】
【００１３】
本発明の液晶パネルは、主走査方向に並べられた画素毎に個別電極を有する第１透明基板と、前記主走査方向に長く形成される共通電極を有する第２透明基板と、両透明基板のいずれか一方に主走査方向に離間して副走査方向に長く形成され、前記画素の主走査方向端縁を規定する複数の第１遮光マスクと、両透明基板の他方に副走査方向に離間して主走査方向に長く形成され、前記画素の副走査方向端縁を規定する複数の第２遮光マスクとを備えるようにしたので、前記画素と前記個別電極との位置精度が両透明基板の貼り合せ精度に依存しなくなり、両者の位置ずれが防止される。これにより、一般的な貼り合わせ設備を用いて両透明基板を貼り合わせた時に、前記画素と前記個別電極との位置ずれを発見するための全数検査を行う必要が無くなる。その結果、液晶パネルの製造コストを低くすることができる。
【００１４】
また、この液晶パネルをプリンタの露光ヘッドの液晶シャッタとして用いた場合には、前記画素と前記個別電極との位置ずれが防止されることで、液晶パネルがノーマリホワイトモードの場合には、光漏れの発生を防止することができる。その結果、コントラストが足りなくなったり、プリント画像に黒すじが発生したりすることが防止される。これとは逆に、液晶パネルがノーマリブラックの場合には、光量不足が生じたり、プリント画像に白すじが発生したりすることが防止される。その結果、良好なプリント画像が得られる。
【発明を実施するための最良の形態】
【００１５】
図１は、本発明を実施したインスタントプリンタ（以下、単にプリンタという）１０の外観を示した斜視図である。このプリンタ１０は、カメラ付き携帯電話機（図示せず）等で撮影された画像をプリントするものであり、大別して筐体１１と、この筐体１１の内部に組み込まれたプリント部１２（図２参照）とから構成される。
【００１６】
筐体１１の表面には、赤外線受信センサ１５と、プリント残枚数表示窓１６と、液晶モニタ１７と、操作部１８と、フイルム排出口１９と、装填蓋２０（図２参照）とが設けられている。赤外線受信センサ１５は、カメラ付き携帯電話機（図示せず）より赤外線通信で送信されてくる画像データを受信する。プリント残枚数表示窓１６には、プリント可能な枚数が表示される。液晶モニタ１７には、各種のメニュー画面等が表示される。
【００１７】
操作部１８には、電源ボタン２２と、焼き増しボタン２３とが設けられている。電源ボタン２２は、プリンタ１０の電源をオン・オフする。焼き増しボタン２３は直近にプリントした画像を再度プリントする場合に押圧操作される。フイルム排出口１９からは、詳しくは後述するが画像のプリントが完了したフイルム２４が排出される。
【００１８】
図２に示すように、装填蓋２０は筐体１１の底面に取り付けられている。ここで、図２はプリンタ１０の断面図であり、筐体１１の天地を図１とは逆にして図示している。この装填蓋２０は、筐体１１内に設けられたフイルムパック装填室２６を開放する開き位置と、このフイルムパック装填室２６を覆う閉じ位置との間で回動自在に支持されている。そして、このフイルムパック装填室２６内にフイルムパック２８が装填される。
【００１９】
フイルムパック２８は、箱形状のケース２８ａと、このケース２８ａの図中上面を覆う蓋２８ｂとから構成される。ケース２８ａには、複数枚のフイルム２４が露光面を図中下向きにして重ねて収納される。また、このケース２８ａのフイルム排出口１９に対向する側面には、最下層のフイルム２４をパック２８外に送出するためのフイルム送出口３０が形成されている。
【００２０】
蓋２８ｂには、一対の開口３２が所定間隔を開けて形成されている。開口３２は、装填蓋２０を閉じたときに装填蓋内面に設けられた一対の押し上げ部材３４が入り込む入口となる。また、蓋２８ｂの内面にはフイルムユニット押圧板３５が設けられている。フイルムユニット押圧板３５は、装填蓋２０を閉じたときに押し上げ部材３４により押圧され、ケース２８ａの底面に向かって凸となるように湾曲する。これにより、最下層のフイルム２４がケース２８ａの底面に押し付けられる。
【００２１】
フイルム２４は、所謂モノシートタイプのフイルムである。このフイルム２４の先端部には、現像液（図示せず）を内包する現像液ポッド２４ａ（図５参照）が設けられている。詳しくは後述するが、プリント時はフイルム２４の感光層に対してプリント光が照射され、感光層が感光される。そして、現像時には現像液ポッド２４ａが裂開されて、現像液がフイルム２４内の感光層上に流し込まれて展開されることで、フイルム２４が現像処理される。
【００２２】
プリント作業が開始されると、ケース２８ａの底面のクロー開口（図示せず）に挿入されたクロー爪（図示せず）によって、最下層のフイルム２４がフイルム送出口３０よりフイルムパック２８外に送出される。パック２８外に送出されたフイルム２４は、フイルム送出口３０とフイルム排出口１９との間に設けられたプリント部１２で露光・現像される。
【００２３】
プリント部１２は、フイルム送出口３０からフイルム排出口１９に向けて順に配置された露光ヘッド４５と、搬送ローラ対４６と、展開ローラ対４７と、排出ガイド４８と、展開制御部材５０とから構成される。露光ヘッド４５は、詳しくは後述するが、プリントする画像の１ライン分の画像データに基づき、フイルム２４の搬送に同期して、主走査方向（フイルム幅方向）に平行なライン状の記録光をフイルム２４の露光面に照射する。
【００２４】
搬送ローラ対４６は、フイルム送出口３０より送出されたフイルム２４の先端部を挟持可能な位置に配置されている。この搬送ローラ対４６は、互いに対向して配置されたキャプスタンローラ５１とピンチローラ５２とからなる。キャプスタンローラ５１は、フイルム２４の両側縁部に接触する一対の円盤状ローラ本体と、両ローラ本体を保持する回転軸とからなる。ピンチローラ５２は、バネ及びローラ保持部材等からなるバネ付勢機構５３によりキャプスタンローラ５１に向けて付勢されている。
【００２５】
搬送ローラ対４６は、フイルム２４の両側縁部を挟持して、これを主走査方向と直交する副走査方向に搬送する。この際にはフイルム２４の両側縁部のみが挟持されるので、フイルム２４の現像液ポッド２４ａを裂開せずに搬送を行うことができる。そして、この搬送ローラ対４６による搬送中に露光ヘッド４５による露光が行われる。
【００２６】
フイルム２４の先端部の通過を検出する検出センサ（図示せず）、及びキャプスタンローラ５１の回転数を検出する回転数検出センサ（図示せず）からの出力信号に基づき、フイルム２４の露光面が露光ヘッド４５に対向する位置まで搬送されたら、露光ヘッド４５による露光が開始される。フイルム２４を１ラインずつ移動させつつ、露光ヘッド４５によりライン画像をフイルム２４に順次露光させることで、フイルム２４の感光層に１画面分の画像（潜像）が露光される。フイルム２４は、引き続き搬送ローラ対４６により展開ローラ対４７に向けて搬送される。
【００２７】
展開ローラ対４７は、フイルムユニット搬送路を挟み込むように配置された一対の固定ローラ５５と展開ローラ５６とから構成される。展開ローラ５６は、上述のバネ付勢機構５３と同様のバネ付勢機構５７により固定ローラ５５に向けて付勢されている。展開ローラ対４７は、搬送ローラ対４６より送り出されるフイルム２４を加圧しながら挟持搬送する。これにより、フイルム２４の現像液ポッド２４ａが裂開され、フイルム２４内の感光層上に現像液が展開される。
【００２８】
展開制御部材５０は、搬送ローラ対４６と展開ローラ対４７との間に配置されている。展開制御部材５０は、展開ローラ対４７による現像液展開時にフイルム２４の露光面とは反対側の背面に摺接して、現像液ポッド２４ａからフイルム２４内に流し込まれた現像液の展開を制御する。これにより、現像液がより均一に展開される。そして、展開ローラ対４７から送り出されるフイルム２４は、排出ガイド４８に沿ってフイルム排出口１９に搬送され、筐体１１外に排出される。
【００２９】
図３は、本発明の露光装置に相当する露光ヘッド４５の分解斜視図である。露光ヘッド４５は、大別して、光源を構成する光源本体６０及び導光板６１と、液晶シャッタ（シャッタアレイ）６２と、セルフォックレンズ（登録商標）［以下、単にレンズという］６３と、これらを収納するホルダ（図示せず）とから構成される。
【００３０】
光源本体６０は、Ｒ（赤）、Ｇ（緑）、Ｂ（青）の各色に発光する３色のＬＥＤ６０Ｒ，６０Ｇ，６０Ｂから構成される。ＬＥＤ６０Ｒ，６０Ｇ，６０Ｂは、ライン画像を露光する際に１個ずつ順に発光される。この光源本体６０は、後述する導光板６１に取り付けられており、各ＬＥＤ６０Ｒ，６０Ｇ，６０Ｂから照射される記録光は導光板６１に入射する。
【００３１】
導光板６１は、光源本体６０より照射される記録光の進路を変えて記録光を後述する液晶シャッタ６２に向けて出射する。この導光板６１は、後述する液晶シャッタ６２の画素列７６に対応して設けられており、主走査方向に延びた略直方体状に形成されている。上述したように、光源本体６０は、導光板６１の一端部に取り付けられている。
【００３２】
導光板６１内に入射された記録光は、媒質境界の全反射を利用して導光板６１内を伝播する。導光板６１の光入射面とは反対側の側面には、反射板６５が取り付けられている。この反射板６５は、記録光を反射して再度導光板６１内に戻す。また、液晶シャッタ６２に到達しない記録光は、導光板６１の上下に配置された第１及び第２拡散シート６７，６８により再度散乱される。なお、液晶シャッタ６２側に配置される第２拡散シート６８には、液晶シャッタ６２に向けて出射される記録光を散乱しないように、スリット状の開口６８ａが形成されている。
【００３３】
また、導光板６１の上面には、白色塗料による拡散部７０が設けられている。この拡散部７０は、光入射面から遠ざかるのに従い次第に幅広となる略二等辺三角形状に形成されている。拡散部７０を設けることで、入射した記録光を主走査方向に平行な線状光線に変換して出射することができる。この導光板６１より出射される線状光線は、後述する液晶シャッタ６２により光量が調整された後、レンズ６３を介してフイルム２４の露光面に結像される。
【００３４】
液晶シャッタ６２は、本発明の液晶パネルに相当するものであり、後述する画素７５を主走査方向に１列に４８０個配列させた画素列７６を有している。なお、図中では図面の煩雑化を防止するため、画素７５の数は適宜省略している。また、画素の数は４８０個に限定されるものではない。
【００３５】
液晶シャッタ６２は、互いに対向する第１透明基板７８及び第２透明基板７９と、両基板７８，７９の隙間に封入された液晶８０（図４参照）とから構成される。液晶８０としては、ネマティック液晶、強誘電性液晶、反強誘電性液晶等の各種液晶を用いてよく、本実施形態ではネマティック液晶が用いられている。また、本実施形態では、第１透明基板７８の副走査方向一端部が、第２透明基板７９よりも突き出た延設部７８ａとなっている。
【００３６】
図４は第１透明基板７８の上面図であり、図５は図４中の液晶シャッタ６２のＶ−Ｖ線に沿う断面図であり、図６は第１透明基板７８を第２透明基板７９側から見た拡大図であり、図７は第２透明基板７９を第１透明基板７８側から見た拡大図である。第１透明基板７８の図中下面側には、第１偏光板８２が貼り付けられ、第２透明基板７９の図中上面側には、第２偏光板８３が貼り付けられている（図５参照）。両偏光板８２，８３の偏光軸は、互いに直交した直交ニコル状態になっている。
【００３７】
第１透明基板７８の第２透明基板７９に対向する面（図中上面）上には、第１遮光マスク８５が形成され、第２透明基板７９の第１透明基板７８に対向する面（図中下面）上には、第２遮光マスク８６が形成されている。これら第１及び第２遮光マスク８５，８６はクロムや金（白金）などから形成され、例えばスパッタリング法等を用いた成膜工程と、フォトリソグラフィ法等を用いたパターンニング工程とを経て形成される。
【００３８】
第１遮光マスク８５は、副走査方向に長く形成された略長方形状に形成されており、主走査方向に４８１個配列されている（図４及び図６参照）。各第１遮光マスク８５は、後述する画素７５の幅Ｗ１（主走査方向の長さ）、つまり、画素７５の主走査方向端縁７５ａを規定する。
【００３９】
第２遮光マスク８６は、各第１遮光マスク８５に対応するように主走査方向に長く形成されており、副走査方向に２個配列されている（図４及び図７参照）。各第２遮光マスク８６は、第１遮光マスク８５の副走査方向両端部に対向する位置にそれぞれ形成されている。第２遮光マスク８６は、後述する画素７５の副走査方向の長さＬ１、つまり、画素７５の副走査方向側端縁７５ｂを規定する。
【００４０】
これら第１遮光マスク８５と第２遮光マスク８６とが立体交差することで、主走査方向側端縁７５ａ及び副走査方向側端縁７５ｂで囲まれた略長方形状の画素７５が主走査方向に１列に４８０個形成される。各画素７５の幅Ｗ１と長さＬ１とは、第１遮光マスク８５の形成ピッチと第２遮光マスク８６の形成ピッチとを変えることで、任意の長さに調整することができる。
【００４１】
第１遮光マスク８５上には絶縁膜９４（図５参照）が形成される。絶縁膜９４は、第１透明基板７８のほぼ全面を覆うように形成されている。この絶縁膜９４は、例えばＳｉＯ２  等から形成され、金属製の第１遮光マスク８５と後述する個別電極９５とのショートを防止する。
【００４２】
絶縁膜９４上には、個別電極９５と、第１引き出し線９６（図４参照）と、第２引き出し線９７（図４参照）とが形成される。これらは、ＩＴＯ（Ｉｎｄｉｕｍ  Ｔｉｎ  Ｏｘｉｄｅ）からなる透明電極膜であり、上述の第１及び第２遮光マスク８５，８６と同様に成膜工程とパターンニング工程とを経て形成される。
【００４３】
個別電極９５は、副走査方向に長く形成された長方形状の電極本体９５ａと、電極本体９５ａから第１透明基板７８の延設部７８ａまで延びた電極リード９５ｂとから構成される。電極本体９５ａは、上述の画素７５に対向する位置、より具体的には各第１遮光マスク８５の間に対向する位置に計４８０個設けられており、主走査方向に１列に配列されている。
【００４４】
電極本体９５ａは、副走査方向の長さＬ２が画素７５の副走査方向の長さＬ１よりも長く形成され、さらに、本実施形態では第１遮光マスク８５の副走査方向の長さＬ３よりも長く形成されている。また、電極本体９５ａは、幅Ｗ２が画素７５の幅Ｗ１よりも長く形成されている。このため、電極本体９５ａは、両側縁部が絶縁膜９４を介して両隣の第１遮光部９２に２μｍ程度重なっている。
【００４５】
第１引き出し線９６は、延設部７８ａに形成されている。この第１引き出し線９６は、その一端部が図示しないコネクタ、ケーブル等を介してプリンタ１０の電源部９９の出力端子（図示せず）に接続されている。また、第１引き出し線９６の他端部は、個別電極９５の近傍まで延びている（図４参照）。
【００４６】
第２引き出し線９７は、第１透明基板７８の主走査方向の側端部に形成されている。この第２引き出し線９７は、その一端部が図示しないコネクタ、ケーブル等を介してプリンタ１０の電源部９９の接地端子に電気的に接続されている。また、第２引き出し線９７の他端部は、第２透明基板７９と対向する位置に形成されている（図４参照）。
【００４７】
第２遮光マスク８６上には、共通電極１００が設けられている（図５参照）。共通電極１００は、上述の個別電極９５と同様にＩＴＯ（Ｉｎｄｉｕｍ  Ｔｉｎ  Ｏｘｉｄｅ）からなる透明電極膜である。この共通電極１００は、各個別電極９５に対応するように主走査方向に長く形成されている（図４参照）。
【００４８】
個別電極９５上には、第１配向膜１０１が形成されているとともに、共通電極１００上には、第２配向膜１０２が形成されている（図５参照）。両配向膜１０１，１０２は、例えばポリイミド等から形成される。これら両配向膜１０１，１０２には、液晶８０を配向させるために、ラビング処理、光配向処理等の各種の配向処理が施されている。なお、図示は省略するが、第１透明基板７８と第１遮光マスク８５との間、個別電極９５と第１配向膜１０１との間、第２透明基板７９と第２遮光マスク８６との間、共通電極１００と第２配向膜１０２との間には、ショート防止用の絶縁膜が必要に応じて形成されている。このショート防止用の絶縁膜は、例えばＳｉＯ２  などからなり、印刷法を用いて形成される。
【００４９】
第１透明基板７８と第２透明基板７９とは、熱硬化性エポキシ樹脂等からなるシール材１０３によって貼り合わされる（図５参照）。そして、これら両基板７８，７９、及びシール材１０３により形成される空間に液晶８０が既知の充填方法で充填され、封入される。この際に、液晶８０の層厚は、両基板７８，７９の間に配置された図示しないスペーサによって調整される。また、両基板７８，７９が貼り合わされる際には、第２引き出し線９７と共通電極１００とが銀接点１０４（図４参照）を介して電気的に接続される。銀接点は、銀粒子を混入した樹脂により形成されている。これにより、各個別電極９５と共通電極１００との間でのみ液晶８０に電圧を印加することができる。
【００５０】
個別電極９５及び共通電極１００間に駆動電圧が印加されていない時（駆動電圧ＯＦＦ時）には、液晶（ネマティック液晶）８０は、周知のように所定のねじれ角度でツイスト配向される。このため、液晶シャッタ６２に入射した記録光（線状光線）は、液晶シャッタ６２を透過する。
【００５１】
個別電極９５及び共通電極１００間に駆動電圧が印加された時（駆動電圧ＯＮ時）は、個別電極９５上にある液晶８０の液晶分子が電圧印加方向に配向（垂直配向）される。上述したように、両偏光板８２，８３は直交ニコル状態になっているので、入射した光（線状光線）は遮光される。
【００５２】
上述のように、個別電極９５と共通電極１００との間に印加される駆動電圧のＯＮ・ＯＦＦを制御することで、液晶シャッタ６２の各画素７５を個々に遮光状態と光透過状態とに切り替えることができる。個々の画素７５の切替制御は、ドライバＩＣ１０６によって行われる。
【００５３】
ドライバＩＣ１０６は、第１透明基板７８の延設部７８ａ上に実装されている（図４参照）。このドライバＩＣ１０６は、各個別電極９５の電極リード９５ｂと、第１引き出し線９６とに電気的に接続される接点部（図示せず）を有している。ドライバＩＣ１０６は、各個別電極９５に印加される駆動電圧をオン・オフすることで、画素７５を個々に遮光状態と光透過状態とに切替制御することができる。
【００５４】
ドライバＩＣ１０６は、１ライン分の画像データ（データ線）に基づき、駆動する画素７５を選択するとともに、選択された画素７５の開口時間（シャッタ速度）を調整する。これにより、光源本体６０からＲ光、Ｇ光、Ｂ光が順次照射される度に、選択された画素７５が個々に切替制御されるので、画像データに応じた階調を有するライン画像がフイルム２４に露光される。上述したように、画素７５は４８０個設けられており、４８０ドットのライン画像が露光される。そして、このライン画像を副走査方向に６４０ライン分露光することで、６４０×４８０の画像（潜像）がフイルム２４に露光される。
【００５５】
図８は、第１及び２透明基板７８，７９の位置ずれ無しの液晶シャッタ６２の概略図であり、図９は、第１及び２透明基板７８，７９の位置ずれ有りの液晶シャッタ６２の概略図である。本実施形態では、第１遮光マスク８５と、第２遮光マスク８６とを立体交差させることで画素７５を形成している。このため、第１透明基板７８と第２透明基板７９とが任意の方向に多少位置ずれしても、第１遮光マスク８５と第２遮光マスク８６とが立体交差していれば、各画素７５の面積は一定のままであり、さらに、個別電極９５（電極本体９５ａ）と画素７５との位置ずれも発生しない。
【００５６】
両透明基板７８，７９の位置ずれの許容範囲は、第１遮光マスク８５と第２遮光マスク８６とが立体交差する範囲内であればよい。このため、従来よりも両透明基板７８，７９の貼り合せ時の位置ずれの許容範囲を大きくすることができる。その結果、一般的な貼り合わせ設備を用いて両透明基板７８，７９を貼り合せた際に、個別電極９５と画素７５との位置ずれが防止される。
【００５７】
次に、本実施形態のプリンタ１０の作用について説明を行う。ユーザは、プリンタ１０の電源をＯＮしたら、カメラ付き携帯電話機（図示せず）を操作して画像データを送信する。この画像データが受信されたら、プリンタ１０はプリント作業を開始する。
【００５８】
プリント作業が開始されると、クロー爪（図示せず）によって、フイルムパック２８内に収納された最下層のフイルム２４がフイルム送出口３０よりパック２８外に送出される。次いで、フイルム２４は、搬送ローラ対４６により挟持され、副走査方向に搬送される（図２参照）。この搬送ローラ対４６による搬送中に、フイルム２４の露光面が露光ヘッド４５に対向する位置まで搬送されたら、露光ヘッド４５による露光が開始される。
【００５９】
露光ヘッド４５（図３参照）の光源本体６０のＬＥＤ６０Ｒ，６０Ｇ，６０Ｂが１個ずつ順に発光される。そして、Ｒ、Ｇ、Ｂの記録光（線状光線）が順次照射される度に、１ライン分の画像データに基づき、ドライバＩＣ１０６により液晶シャッタ６２の個々の画素７５の開口時間（シャッタ速度）が調整される。これにより、ライン画像がフイルム２４に露光される。以下、同様にしてフイルム２４を１ラインずつ移動させつつ、露光ヘッド４５によりライン画像をフイルム２４に順次露光させることで、フイルム２４に１画面分の画像（潜像）が露光される。
【００６０】
この際に、本実施形態では、第１遮光マスク８５（第１遮光マスク８５）と、第２遮光マスク８６（第２遮光マスク８６）とを立体交差させることで画素７５を形成している。このため、画素７５と個別電極９５との位置精度が両透明基板７８，７９の貼り合せ精度に依存しなくなる。その結果、一般的な貼り合わせ設備を用いて両透明基板７８，７９を貼り合わせた時に、画素７５と個別電極９５との位置ずれを防止することができる。これにより、両透明基板７８，７９の貼り合せ後に、個別電極９５と画素７５との位置ずれを発見する目的で全数検査を行う必要が無くなる。その結果、液晶シャッタ６２の製造コストを低くすることができる。
【００６１】
また、画素７５と個別電極９５との位置ずれが防止されることで、ノーマリホワイトモードの場合には、光漏れの発生を防止することができる。その結果、コントラストが足りなくなったり、プリント画像に黒すじが発生したりすることが防止される。これとは逆に、ノーマリブラックの場合には、光量不足が生じたり、プリント画像に白すじが発生したりすることが防止される。その結果、良好なプリント画像が得られる。
【００６２】
また、本実施形態では、個別電極９５（電極本体９５ａ）を各第１遮光マスク８５の間に対向する位置に形成しているので、個別電極９５をドライバＩＣ１０６と画素７５との間で平坦に形成することができる。個別電極９５を段差状に形成した場合には断線が発生するおそれがあるが、本実施形態では個別電極９５を平坦に形成することができるので、断線の発生を抑えることができる。
【００６３】
フイルム２４は、引き続き搬送ローラ対４６により展開ローラ対４７に向けて搬送される。展開ローラ対４７は、搬送ローラ対４６から展開制御部材５０を介して送出されてくるフイルム２４を加圧しながら挟持搬送する。これにより、フイルム２４の現像液ポッド２４ａが裂開され、フイルム２４内の感光層上に現像液が展開される。そして、展開ローラ対４７から送り出されるフイルム２４は、排出ガイド５６に沿ってフイルム排出口１９に搬送され、筐体１１外に排出される。
【００６４】
なお、上記実施形態（図５参照）では、第１透明基板７８上に第１遮光マスク８５、絶縁膜９４、個別電極９５、第１配向膜１０１が順に形成されるとともに、第２透明基板７９上に第２遮光マスク８６、共通電極１００、第２配向膜１０２が順に形成されているが、本発明はこれに限定されるものではない。例えば、図１０に示した液晶シャッタ１１０のように、第１遮光マスク８５と個別電極９５との形成順序を変えるとともに、第２遮光マスク８６と共通電極１００との形成順序を変えるようにしてもよい。
【００６５】
具体的には、第１透明基板７８上に個別電極９５を形成し、この電極９５上に絶縁膜９４、第１遮光マスク８５、第１配向膜１０１を順に形成する。また、第２透明基板７９上に共通電極１００を形成し、この電極１００上に第２遮光マスク８６、第２配向膜１０２を順に形成する。この場合も、第１遮光マスク８５と、第２遮光マスク８６とを立体交差させることで上述の画素７５（図４参照）を形成することができるので、同様に個別電極９５と画素７５との位置ずれを防止することができる。
【００６６】
なお、上記実施形態では、第１遮光マスク８５の第１遮光マスク８５が副走査方向に長く形成された略長方形状に形成されているとともに、第２遮光マスク８６の第２遮光マスク８６が主走査方向に長く形成された略長方形状に形成されているが、本発明はこれに限定されるものではない。これとは逆に、第１遮光部が主走査方向に長く形成された略長方形状に形成されるとともに、第２遮光マスク８６が副走査方向に長く形成された略長方形状に形成されていてもよい。
【００６７】
なお、上記実施形態では、モバイル型のプリンタ１０に使用される液晶シャッタ６２（露光ヘッド４５）を例に説明を行ったが、本発明はこれに限定されるものではなく、各種のプリンタや画像記録装置、プリンタ付きデジタルカメラ（インスタントカメラ）等に使用される液晶シャッタ（露光ヘッド）にも本発明を適用することができる。
【００６８】
また、上記実施形態では、液晶パネルを液晶シャッタ６２として使用する場合を例に説明を行ったが、本発明はこれに限定されるものではない。例えば、液晶ＴＶ、パーソナルコンピュータやデジタルカメラなどの各種液晶表示装置に使用される液晶パネルにも本発明を適用することができる。以下、図１１を用いて液晶表示装置１３０について説明を行う。
【００６９】
液晶表示装置１３０は、大別して図示しない光源と、液晶パネル１３２とから構成される。この液晶パネル１３２は、上述の液晶シャッタ６２と基本的には同じ構造である。ただし、液晶パネル１３２では、副走査方向に長く形成された第１遮光マスク１３４が主走査方向に複数配列されているとともに、主走査方向に長く形成された第２遮光マスク１３７が副走査方向に複数配列されている。つまり、液晶パネル１３２は、多列（マトリクス状）に配列された複数の画素１３９を有している。
【００７０】
また、図示は省略するが各画素１３９に対向する位置には個別電極が形成されている。そして、画像データに基づき、光源（図示せず）から照射される照明光を各画素１３９で変調することにより、液晶パネル１３２の表示面（図示せず）に画像が表示される。このように液晶表示装置に本発明を適用することで、上述の液晶シャッタ６２と同様に画素と個別電極との位置ずれを防止できる。その結果、良好な画像を表示することができる。
【図面の簡単な説明】
【００７１】
【図１】インスタントプリンタの外観斜視図である。
【図２】プリンタの断面図である。
【図３】プリンタの露光ヘッドの分解斜視図である。
【図４】露光ヘッドの液晶シャッタの第１透明基板の上面図である。
【図５】図４中のＶ−Ｖ線に沿う液晶シャッタの断面図である。
【図６】第１透明基板を第２透明基板側から見た拡大図である。
【図７】第２透明基板を第１透明基板側から見た拡大図である。
【図８】第１透明基板と第２透明基板とが位置ずれしていない位置ずれ無しの液晶シャッタの上面図である。
【図９】第１透明基板と第２透明基板とが位置ずれした位置ずれ有りの液晶シャッタ６２の上面図である。
【図１０】第１遮光マスクと個別電極との形成順序、及び第２遮光マスクと共通電極との形成順序を変えた他の実施形態の液晶シャッタの上面図である。
【図１１】液晶表示装置の上面図である。
【符号の説明】
【００７２】
１０  インスタントプリンタ
２４  フイルム
４５  露光ヘッド
６２  液晶シャッタ
７５  画素
７８  第１透明基板
７９  第２透明基板
８５  第１遮光マスク
８６  第２遮光マスク
９５  個別電極
１００  共通電極
【図１】
2007328285.tif 000003
【図２】
2007328285.tif 000004
【図３】
2007328285.tif 000005
【図４】
2007328285.tif 000006
【図５】
2007328285.tif 000007
【図６】
2007328285.tif 000008
【図７】
2007328285.tif 000009
【図８】
2007328285.tif 000010
【図９】
2007328285.tif 000011
【図１０】
2007328285.tif 000012
【図１１】
2007328285.tif 000013